(57)【要約】【課題】ストッパによるラック移動規制状態を解除する操作を極めて簡単な構成によって達成することのできる移動ラックの安全装置を提供すること。【解決手段】軌道Ｒに沿って移動可能な複数のラック１０が設けられ、これら各ラック１０の上部間に安全装置２０が設けられている。この安全装置２０は、ラック１０の上部間に配置されたストッパ２１と、当該ストッパ２１に後端側が連結されて前端側がラックの前方に引き出される紐状部材２４とを含む。ストッパが略直線状に延びた状態でラック間に通路Ｐが形成されて以後のラック移動を規制する一方、紐状部材２４を引っ張ることでラックの移動移動規制が解除可能となっている。【選択図】          図１
2004313256.tif 000002
【特許請求の範囲】
【請求項１】
床面に配置された軌道に沿って移動可能な複数のラックの安全装置において、
前記複数のラックの上部間に配置されたストッパと、当該ストッパの操作部材とを含み、
前記ストッパは、前記ラックを移動させてラック間に通路を形成したときに略直線状に延びて通路閉塞方向への移動を規制する一方、この規制を解除して前記通路を閉塞する方向にラックを移動させたときに折り畳み可能に設けられ、
前記操作部材は、一端側が前記ストッパに連結されるとともに、他端側が前記ラックの前方又は後方に持ち出し可能な紐状部材により構成され、
前記紐状部材の他端側を引き操作することで、前記ストッパによるラックの移動規制を解除することを特徴とする移動ラックの安全装置。
【請求項２】
前記ラックの上部前端側又は上部後端側に持ち出し部材が配置され、当該持ち出し部材に前記紐状部材の中間部が支持されていることを特徴とする請求項１記載の移動ラックの安全装置。
【請求項３】
前記ストッパは、一方のラックに片持ち姿勢で回転可能に支持された第１の棒状部材と、ラック移動方向に相対する他方のラックに片持ち姿勢で回転可能に支持された第２の棒状部材と、これら第１及び第２の棒状部材の自由端側を折り畳み可能に相互に連結する連結部材と、前記第１及び第２の棒状部材間に設けられた移動規制位置保持手段とを含み、
前記移動規制位置保持手段は、前記第１及び第２の棒状部材が略直線状に延びる位置で、これら棒状部材に相互に引き付け力を付与可能な弾性部材を含んで構成されていることを特徴とする請求項１又は２記載の移動ラックの安全装置。
【請求項４】
前記第１及び第２の棒状部材は中空パイプにより構成され、前記移動規制位置保持手段は第１及び第２の棒状部材内に配置されていることを特徴とする請求項３記載の移動ラックの安全装置。
【請求項５】
前記各ラックには、前記軌道に沿ってラックを移動させるためのハンドルが設けられ、当該ハンドルの近傍位置に当該ハンドルのロック装置を備えていることを特徴とする請求項１，２，３又は４記載の移動ラックの安全装置。
【発明の詳細な説明】
【０００１】
【発明の属する技術分野】
本発明は移動ラックの安全装置に係り、更に詳しくは、床面上の軌道に沿って移動可能に設けられた複数のラック間に通路を形成したときに、当該通路が不用意に閉塞することのない移動ラックの安全装置に関する。
【０００２】
【従来の技術】
従来より、オフィス等の床面に相互に略平行な状態で軌道を配置し、この軌道に沿って移動可能な状態で配置された複数の移動ラックが知られている。この移動ラックは、スペースの有効利用を図るために、相互に接触若しくは近接した状態で横並びとされ、収納対象物を出し入れするときにラック間に通路を形成することができるようになっている。
【０００３】
このような移動ラックにあっては、ラック移動用のハンドル操作を禁止するためのロック装置が採用されているが、当該ロック装置は人手を介して操作するものであるため、実際には操作をしない状態のまま放置されることが多い。このような場合、ラック間の通路内で収納対象物の出し入れ作業や、書籍等を閲覧している際に、地震等によってラックが通路閉塞方向に不用意に移動してしまうという問題がある。
【０００４】
そこで、特許文献１に示されるように、移動ラックの上部間に安全バーを配置し、当該安全バーによって不用意なるラックの移動を規制する安全装置が提案されている。
【０００５】
【特許文献１】特公昭５５−３３８８５号公報
【０００６】
【発明が解決しようとする課題】
しかしながら、前記特許文献１に記載された安全装置にあっては、移動ラック間の通路を閉塞しないように安全バーが位置している状態の解除は、移動ラックの正面側に設けられた操作用摘みを介して行うものとなっている。そのため、操作用摘みと安全バーとの間に、ロック解除を行うためのバーや、リンク機構等をラックに内蔵しなければならず、ラック構造を複雑化させるという不都合がある。しかも、特許文献１の構成では、操作用摘みとの距離を最小限に設定しなければならないという制約がある。そのため、通路の奥行き方向に向かって長くなるように移動ラックを多数連結したときには、安全バーによるストッパ機能が前記奥行き方向にある移動ラックに及ばなくなり、当該奥行き方向のラック間が振動等によって接近してしまい、当該領域に作業者が存在していた場合の安全性は担保されない、という不都合もある。
【０００７】
【発明の目的】
本発明は、このような不都合に着目して案出されたものであり、その目的は、ストッパによるラック移動規制状態を解除する操作を極めて簡単な構成によって達成することのできる移動ラックの安全装置を提供することにある。
【０００８】
本発明の他の目的は、ストッパの取付位置に制約を伴うことがなく、例えば、奥行き方向に長い状態で多数のラックを連結したときに、当該奥行き方向に沿う各ラックの移動規制を全体的に及ぼすことが可能となる移動ラックの安全装置を提供することにある。
【０００９】
【課題を解決するための手段】
前記目的を達成するため、本発明は、床面に配置された軌道に沿って移動可能な複数のラックの安全装置において、
前記複数のラックの上部間に配置されたストッパと、当該ストッパの操作部材とを含み、
前記ストッパは、前記ラックを移動させてラック間に通路を形成したときに略直線状に延びて通路閉塞方向への移動を規制する一方、この規制を解除して前記通路を閉塞する方向にラックを移動させたときに折り畳み可能に設けられ、
前記操作部材は、一端側が前記ストッパに連結されるとともに、他端側が前記ラックの前方又は後方に持ち出し可能な紐状部材により構成され、
前記紐状部材の他端側を引き操作することで、前記ストッパによるラックの移動規制を解除する、という構成を採っている。このような構成によれば、ストッパが略直線状に延びたときに、相対するラックが接近しようとしても、当該ストッパは圧縮力に耐えてラックの接近移動を規制するようになる。この一方、操作部材を引き操作することで、ストッパが僅かに屈曲すると、前記ストッパを折り曲げる方向への力が付与可能となる。従って、この状態でラックを接近させるように操作することで、ストッパを自然に折り畳む方向に回転させることができ、通路を閉塞する位置までラックを接近させることができる。また、操作部材として紐状部材を採用することで、ロッドやリンク機構等を用いることなく極めて簡易な構成でストッパによる移動規制を解除することができる他、操作部材の長さを調整することで、引き回し位置若しくは方向に自由度を付与することが可能となる。
【００１０】
【発明の実施の形態】
本発明において、前記ラックの上部前端側又は上部後端側に持ち出し部材が配置され、当該持ち出し部材に前記紐状部材の中間部が支持される、という構成を採っている。このような持ち出し部材を設けると、相対するラック間に通路を形成したときに、その通路入り口の中間上部に紐状部材の他端側を吊り下げた状態とすることができ、操作し易い位置に紐状部材を位置させることができる。
【００１１】
また、前記ストッパは、一方のラックに片持ち姿勢で回転可能に支持された第１の棒状部材と、ラック移動方向に相対する他方のラックに片持ち姿勢で回転可能に支持された第２の棒状部材と、これら第１及び第２の棒状部材の自由端側を折り畳み可能に相互に連結する連結部材と、前記第１及び第２の棒状部材間に設けられた移動規制位置保持手段とを含み、
前記移動規制位置保持手段は、前記第１及び第２の棒状部材が略直線状に延びる位置で、これら棒状部材に相互に引き付け力を付与可能な弾性部材を含んで構成される、という構成を採ることが好ましい。このような構成では、第１及び第２の棒状部材が直線状に延びた状態で、これら棒状部材を折り畳み方向に曲げようとする力を付与しなければ、常に直線状態を保持する状態を継続させることができ、不用意なる折り畳みによる通路閉塞方向へのラック移動を効果的に阻止することが可能となる。
【００１２】
また、前記第１及び第２の棒状部材は中空パイプにより構成され、前記移動規制位置保持手段は第１及び第２の棒状部材内に配置される、という構成を採ることが好ましい。これにより、第１及び第２の棒状部材の外側に移動位置保持手段が表出することがなくなり、外観上の体裁を良好に保つ他、周囲の部品との位置的な干渉等も防止することが可能となる。
【００１３】
また、前記各ラックには、前記軌道に沿ってラックを移動させるためのハンドルが設けられ、当該ハンドルの近傍位置に当該ハンドルのロック装置を備える、という構成を採ることができる。このようなロック装置を併用することで、ラックの不用意なる移動を一層確実に防止することができる。また、ロック装置の操作を忘れた場合であっても、前記ストッパによる閉塞防止を行えることができる。
【００１４】
【実施例】
以下、本発明の実施例を図面を参照しながら説明する。
【００１５】
図１には、一部のラック間に通路が形成された状態の移動ラックの全体構成が示されている。この図において、オフィス等の床面上に相互に略平行な状態で配置された軌道Ｒに複数のラック１０が移動可能に支持されている。ラック１０は、特に限定されるものではないが、本実施例では、前面パネル１１，後面パネル１２、天板１３及び最下段棚板１４と、これらパネル１１〜１４で囲まれる内側空間内に配置された棚板１５とにより構成されている。
【００１６】
前記各ラック１０は、前面パネル１１の面内に設けられたハンドル１６を回転させることにより、ラック１０を軌道Ｒに沿って移動可能とされている。すなわち、ここでは図示省略しているが、前面パネル１１の内部には、軌道Ｒ上を回転する車輪の回転軸と、ハンドル１６の回転軸にスプロケットがそれぞれ設けられており、これらスプロケット間をチェーンで連結することによりハンドル１６の回転量に応じてラック１０が移動可能とされている。ここで、ハンドル１６の近傍にはロック装置１７が配置され、当該ロック装置１７は、摘み１８を所定操作することで、内部に設けられた図示しない爪がチェーンに係り合い可能とされ、これにより、ハンドル１６の回転が規制されるようになっている。
【００１７】
前記各ラック１０の上部間には安全装置２０が配置されている。この安全装置２０は、ラック１０の上部、すなわち、天板１３間に配置されたストッパ２１と、当該ストッパ２１の中間部に、一端側すなわち後端側が連結されるとともに、他端側すなわち前端側がラック１０の前部間に配置された持ち出し部材２２を介して持ち出された操作部材としての紐状部材２４とにより構成されている。
【００１８】
ストッパ２１は、図２ないし図６に示されるように、相対する一方のラック１０の上部に軸受手段２５を介して片持ち姿勢で水平面内を回転可能な第１の棒状部材としての角柱状の第１の中空パイプ２６と、他方のラック１０の上部に軸受手段２５を介して同様に回転可能に設けられた第２の棒状部材としての第２の中空パイプ２７と、これら第１及び第２の中空パイプ２６，２７内に延びる移動規制位置保持手段２８と、第１及び第２の中空パイプ２６，２７の自由端側を相互に連結する連結部材としての蝶番２９とを備えて構成されている。
【００１９】
第１及び第２の中空パイプ２６，２７は、ラック１０を相互に離す方向に移動させて当該ラック１０間に通路Ｐを形成したときに、前後方向に対して略直交する方向、すなわち、軌道Ｒと略平行な方向に向かって略直線状に延びて通路Ｐを閉塞する方向への移動を規制する。この一方、前記紐状部材２１の前端側を引っ張り操作することで、前記規制を解除して通路Ｐを閉塞する方向にラック１０を移動させたときに、自由端側が前方位置となる向きで折り畳み可能に設けられている。
【００２０】
また、前記第１の中空パイプ２６及び第２の中空パイプ２７は、それらの回転中心側となる一端側に上下方向に貫通する角穴３５をそれぞれ備えている。第１の中空パイプ２６において、角穴３５よりも自由端側に若干離れた位置には、パイプ内を貫通する支持軸３６が固定されている。この一方、第２の中空パイプ２６には、角穴３５よりも自由端側に若干離れた底面部分にボルト３７及びナット３９からなる締結具４０が設けられ、これら支持軸３６と締結具４０との間に前記移動規制位置保持手段２８が配置されている。
【００２１】
前記移動規制位置保持手段２８は、図２に示されるように、一端が支持軸３６に連結されるとともに、他端が前記締結具４０に固定されたワイヤ部材４５と、このワイヤ部材４５の途中に介装された弾性部材としてのコイルばね４６とからなる。コイルばね４６は、第１及び第２の中空パイプ２６，２７を相互に引き寄せる方向に力を付与するものであり、従って、図２に示されるように、第１及び第２の中空パイプ２６，２７が略直線状に延びた状態で、それらの自由端同士が強く突き当てられ、これにより、一方のラック１０が他方のラック１０に接近する方向に移動する力が作用しても、当該移動を規制して通路Ｒを確保できるようになっている。
【００２２】
前記軸受手段２５は、図５及び図６に示されるように、ラック１０の天板１３上にスポット溶接されたレール状の補強部材５０の端部上面領域で、ボルト５１を介して固定されている。軸受手段２５は、補強部材５０の上面に載るベース部材５３と、当該ベース部材５３に緩やかに嵌合するとともに、前記第１及び第２の中空パイプ２６，２７の角穴３５内に位置して当該パイプ２６，２７と共にベース部材５３回りに回転可能な外筒部材５４と、角穴３５の上部側に位置してベース部材５３の上端にボルト５５で固定される円盤状のトップ板５７とからなる。
【００２３】
ベース部材５３は、略ディスク状の基板６０と、これの略半分程度の直径となる中間部６１と、当該中間部６１の上面側から上方に向けられた起立軸６２とからなり、当該起立軸６２の上端中央部に前記ボルト５５のねじ穴６２Ａが形成されている。
【００２４】
前記外筒部材５４は、前記中間部６１の上面に載るリング部６５と、このリング部６５から上方に起立する円筒部６６とからなる。円筒部６６は第１及び第２の中空パイプ２６，２７の軸方向に沿う方向を長軸とする長孔６６Ａを備え、これにより、中空パイプ２６，２７と同時に回転可能となっている。なお、円筒部６６の短軸方向の幅は、前記起立軸６２の直径よりも僅かに大きい幅に設定されている。
【００２５】
前記持ち出し部材２２は、一端がラック１０における天板１３のコーナー近傍で回転可能に支持された第１の軸部材７０と、相対するラック１０側の対応位置で同様に支持された第２の軸部材７１と、これら各軸部材７０，７１の自由端間を連結する蝶番７３とからなる。この持ち出し部材２２は、ラック１０，１０間に通路Ｒが形成されているときに略直線状に延びる一方、通路Ｒが形成されていないときには、自由端側が後方に位置するように折り畳み可能に設けられている。
【００２６】
なお、前記紐状部材２４は、通路Ｐが形成されている状態において、前記持ち出し部材２２の略中央部領域に掛け回すようにして前端側が下方に若干量垂れ下がる長さに設けられている。
【００２７】
次に、本実施例に係るラック１０の作用について図７をも参照しながら説明する。
【００２８】
各ラック１０が相互に密着若しくは接近してラック１０間に通路Ｐが形成されていない状態では、第１及び第２の中空パイプ２６，２７は、それらが略平行で、自由端側が前方に位置した状態に折り畳まれた位置となる。この一方、持ち出し部材２２の第１及び第２の軸部材７０，７１は、それらの自由端側が後方に位置した状態で折り畳まれた位置となる。この際、持ち出し部材２２に引っ掛けられている紐状部材２４は、ラック１０間に隠れた状態となる。
【００２９】
ここで、ロック装置１７を解除してハンドル１７を回転させることで、当該ハンドル１７を備えたラック１０が軌道Ｒに沿って移動することとなる。これにより、ストッパ２１の第１及び第２の中空パイプ２６，２７と、持ち出し部材２２の第１及び第２の軸部材７０，７１は、折り畳み位置から次第に開く方向に回転する。ラック１０の初期移動の際、軸受部材２５を構成する外筒部材５４は長孔６６Ａとされているため、ベース部材５３の起立軸６２に対して、長孔６６Ａの長軸方向にいわゆる若干の遊びが存在することになり、初期ハンドル操作を負担なく行うことができる。
【００３０】
第１及び第２の中空パイプ２６，２７が略直線状となる位置までハンドル操作が行われると、移動規制位置保持手段２８を構成するコイルばね４６が延び、その限界位置でラック移動が停止することとなる。そして、コイルバネ４６が弾性復帰して第１及び第２の中空パイプ２６，２７の各自由端を突き当てるようになって通路Ｐを形成し、これ以後、通路Ｐが不用意に閉塞されないような突っ張り力を各ラック１０，１０に付与することとなる。同時に、持ち出し部材２２も略直線状に延び、紐状部材２４の前端部が通路Ｐの入り口上部に位置する状態となる。
【００３１】
ここで、通路Ｐを閉塞する場合には、紐状部材２４の前端部を若干引き操作すればよい。これにより、紐状部材２４の後端が第１及び第２の中空パイプ２６，２７の自由端近傍に連結されているため、前記直線状に延びる位置から各自由端が前方に若干移動するようになり、同時に持ち出し部材２２も第１及び第２の軸部材７０，７１の自由端が若干後方に移動することとなる。このような状態で、ハンドル操作を行うと、ストッパ２１による突っ張り力が解除されているため、第１及び第２の中空パイプ２６，２７は折り畳み方向に容易に回転し、通路Ｐを閉塞する方向にラック１０の移動を許容することとなる。
【００３２】
従って、このような実施例によれば、紐状部材２４を引き操作するだけで、通路Ｐを閉塞させる方向にラック１０を移動させることができる、という効果を得る。
【００３３】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、位置、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３４】
例えば、ラック１０の奥行き方向幅が小さいときは、図８に示されるように、ストッパ２１を構成する第１及び第２の中空パイプ２６，２７の平面高さ位置を持ち出し部材２２の第１及び第２の軸部材７０，７１の平面高さ位置よりも高くして相互の位置的な干渉を回避することができる。
【００３５】
また、前記実施例では、ラック１０の奥行き方向に複数のラックを連結していないタイプについて示したが、ラック１０の奥行き方向に向かい、例えば、各１０台のラックを相互に一連となるように連結して大型の収納ラックとした場合にも適用することができる。この場合には、奥行き方向の略中間部、すなわち奥行き方向中間部（５台目）のラックにストッパ２１を配置する一方、紐状部材２２の長さを長く設定して持ち出し部材２２まで引き延ばすことで、奥行き方向に沿う全てのラックに対して安定した移動規制を行うようにすることができる。
【００３６】
また、前記実施例では、紐状部材２４をラック１０の前方に位置させる場合を示したが、持ち出し部材２２の位置をラック１０の上部後端側に変更して後方に位置させることでもよい。
【００３７】
【発明の効果】
以上説明したように、本発明によれば、操作部材として紐状部材を採用したから、ラック移動規制を解除するためのロッド等を用いることなく、簡易な構成で移動規制を解除することができる、という従来にない優れた効果を奏する移動ラックの安全装置を提供することができる。
【００３８】
特に、ラック上に持ち出し部材を設けて紐状部材の中間部を支持させる構成を採用した場合には、通路形成時に、当該通路の入り口上部に紐状部材の前端側を吊り下げた状態にすることができるので、ストッパを解除する際の操作を容易に行うことが可能となる。
【００３９】
また、前記ストッパを構成する移動規制位置保持手段が弾性部材を含む構成では、第１及び第２の棒状部材が常に直線状態を保持する状態を継続させることができ、不用意なる折り畳みを効果的に回避することができる。
【００４０】
更に、前記第１及び第２の棒状部材を中空パイプにより構成して移動規制位置保持手段をパイプ内に配置した構成によれば、第１及び第２の棒状部材が回転移動する際の引っ掛かり等を防止することが可能となる。
【００４１】
また、ラックを移動させるためのハンドルの近傍位置にロック装置を備えた構成を併用すれば、ラックの不用意なる移動を一層確実に防止することができる他、本発明に係る安全装置を既存の移動ラックにも適用することが可能となる。
【図面の簡単な説明】
【図１】一部ラック間に通路を形成した状態を示す移動ラックの全体構成を示す概略斜視図。
【図２】ストッパの拡大断面図。
【図３】トップ板を省略した状態のストッパの拡大平面図。
【図４】図３のＡ−Ａ線矢視断面図。
【図５】第１の中空パイプの回転中心領域を示す概略斜視図。
【図６】図５の分解斜視図。
【図７】図１の状態からラック間の通路を閉塞する方向に移動する状態を示す移動ラックの概略斜視図。
【図８】前記実施例の変形例を示す移動ラックの概略斜視図。
【符号の説明】
１０  ラック
１６  ハンドル
１７  ロック装置
２０  安全装置
２１  ストッパ
２２  持ち出し部材
２４  紐状部材（操作部材）
２６  第１の中空パイプ（第１の棒状部材）
２７  第２の中空パイプ（第２の棒状部材）
２８  移動規制位置保持手段
４５  ワイヤ部材
４６  コイルばね（弾性部材）
Ｐ  通路
Ｒ  軌道
【図１】
2004313256.tif 000003
【図２】
2004313256.tif 000004
【図３】
2004313256.tif 000005
【図４】
2004313256.tif 000006
【図５】
2004313256.tif 000007
【図６】
2004313256.tif 000008
【図７】
2004313256.tif 000009
【図８】
2004313256.tif 000010